(57)【要約】【課題】共有ウィンドウの情報を適切に保存して、共同作業を効率的に再開できるようにする。【解決手段】複数の端末（個人端末及び共有端末）を用いて共同作業を行う情報表示システムにおいて、複数の端末の中から選択される所定の端末（共有端末）は、表示部の画面内にオブジェクトを入力可能な共同作業領域を設定し、他の端末（個人端末）に表示されている情報を、共同作業領域内に設定された共有ウィンドウに表示して共同作業を行う際に、自端末又は他の端末で特定の操作が行われたかを判定し、共同作業領域に入力されたオブジェクトの情報を記憶部に保存すると共に、特定の操作が行われた場合に、共有ウィンドウに表示されている情報と、共同作業領域における共有ウィンドウの位置及びサイズと、を記憶部に保存し、特定の操作が行われた時に共同作業領域に表示されていた情報を共同作業の再開時に再現可能にする。【選択図】図６
2018067086.tif 000002
【特許請求の範囲】
【請求項１】
複数の端末が通信ネットワークで接続され、前記複数の端末でオブジェクトを閲覧又は操作することによって共同作業を行う情報表示システムであって、
前記複数の端末の中から選択される所定の端末は、
表示部の画面内に、前記オブジェクトを入力可能な共同作業領域を設定する共同作業領域制御部と、
他の端末に表示されている情報を、前記共同作業領域内に設定された共有ウィンドウに表示する共有ウィンドウ制御部と、
自端末又は前記他の端末で特定の操作が行われたかを判定する操作判定部と、
自端末の前記共同作業領域にオブジェクトが入力された場合に、当該オブジェクトの情報を記憶部に保存すると共に、自端末又は前記他の端末で前記特定の操作が行われた場合に、前記共有ウィンドウに表示されている情報と、前記共同作業領域における前記共有ウィンドウの位置及びサイズと、を前記記憶部に保存し、前記特定の操作が行われた時に前記共同作業領域に表示されていた情報を前記共同作業の再開時に再現可能にする保存制御部と、を備える、
ことを特徴とする情報表示システム。
【請求項２】
前記操作判定部は、前記他の端末で行われた、前記共有ウィンドウの共有を終了する操作を検知した場合に、前記特定の操作が行われたと判定する、
ことを特徴とする請求項１に記載の情報表示システム。
【請求項３】
前記操作判定部は、前記他の端末で行われた、共同作業を行うための所定のアプリケーションを終了する操作を検知した場合に、前記特定の操作が行われたと判定する、
ことを特徴とする請求項１に記載の情報表示システム。
【請求項４】
前記操作判定部は、前記共有ウィンドウ上又は前記共有ウィンドウ近傍領域上の手書き入力操作を検知した場合に、前記特定の操作が行われたと判定する、
ことを特徴とする請求項１に記載の情報表示システム。
【請求項５】
前記保存制御部は、前記共有ウィンドウに表示されている情報として、前記共有ウィンドウのスナップショット、又は、前記共有ウィンドウに表示しているコンテンツのファイル及び表示位置を特定する情報、を保存する、
ことを特徴とする請求項１乃至４のいずれか一に記載の情報表示システム。
【請求項６】
前記複数の端末は、各ユーザが使用する個人端末と複数のユーザが共同で使用する共有端末と、を含み、前記共有端末を前記所定の端末として機能させる、
ことを特徴とする請求項１乃至５のいずれか一に記載の情報表示システム。
【請求項７】
複数の端末が通信ネットワークで接続され、前記複数の端末でオブジェクトを閲覧又は操作することによって共同作業を行う情報表示システムで動作する動作制御プログラムであって、
前記複数の端末の中から選択される所定の端末に、
表示部の画面内に、前記オブジェクトを入力可能な共同作業領域を設定する第１処理、
他の端末に表示されている情報を、前記共同作業領域内に設定された共有ウィンドウに表示する第２処理、
自端末又は前記他の端末で特定の操作が行われたかを判定する第３処理、
自端末の前記共同作業領域にオブジェクトが入力された場合に、当該オブジェクトの情報を記憶部に保存すると共に、自端末又は前記他の端末で前記特定の操作が行われた場合に、前記共有ウィンドウに表示されている情報と、前記共同作業領域における前記共有ウィンドウの位置及びサイズと、を前記記憶部に保存し、前記特定の操作が行われた時に前記共同作業領域に表示されていた情報を前記共同作業の再開時に再現可能にする第４処理、を実行させる、
ことを特徴とする動作制御プログラム。
【請求項８】
前記第３処理では、前記他の端末で行われた、前記共有ウィンドウの共有を終了する操作を検知した場合に、前記特定の操作が行われたと判定する、
ことを特徴とする請求項７に記載の動作制御プログラム。
【請求項９】
前記第３処理では、前記他の端末で行われた、共同作業を行うための所定のアプリケーションを終了する操作を検知した場合に、前記特定の操作が行われたと判定する、
ことを特徴とする請求項７に記載の動作制御プログラム。
【請求項１０】
前記第３処理では、前記共有ウィンドウ上又は前記共有ウィンドウ近傍領域上の手書き入力操作を検知した場合に、前記特定の操作が行われたと判定する、
ことを特徴とする請求項７に記載の動作制御プログラム。
【請求項１１】
前記第４処理では、前記共有ウィンドウに表示されている情報として、前記共有ウィンドウのスナップショット、又は、前記共有ウィンドウに表示しているコンテンツのファイル及び表示位置を特定する情報、を保存する、
ことを特徴とする請求項７乃至１０のいずれか一に記載の動作制御プログラム。
【請求項１２】
前記複数の端末は、各ユーザが使用する個人端末と複数のユーザが共同で使用する共有端末と、を含み、前記共有端末に、前記第１乃至第４処理を実行させる、
ことを特徴とする請求項７乃至１１のいずれか一に記載の動作制御プログラム。
【請求項１３】
複数の端末が通信ネットワークで接続され、前記複数の端末でオブジェクトを閲覧又は操作することによって共同作業を行う情報表示システムにおける動作制御方法であって、
前記複数の端末の中から選択される所定の端末は、
表示部の画面内に、前記オブジェクトを入力可能な共同作業領域を設定する第１処理と、
他の端末に表示されている情報を、前記共同作業領域内に設定された共有ウィンドウに表示する第２処理と、
自端末又は前記他の端末で特定の操作が行われたかを判定する第３処理と、
自端末の前記共同作業領域にオブジェクトが入力された場合に、当該オブジェクトの情報を記憶部に保存すると共に、自端末又は前記他の端末で前記特定の操作が行われた場合に、前記共有ウィンドウに表示されている情報と、前記共同作業領域における前記共有ウィンドウの位置及びサイズと、を前記記憶部に保存し、前記特定の操作が行われた時に前記共同作業領域に表示されていた情報を前記共同作業の再開時に再現可能にする第４処理と、を実行する、
ことを特徴とする動作制御方法。
【請求項１４】
前記第３処理では、前記他の端末で行われた、前記共有ウィンドウの共有を終了する操作を検知した場合に、前記特定の操作が行われたと判定する、
ことを特徴とする請求項１３に記載の動作制御方法。
【請求項１５】
前記第３処理では、前記他の端末で行われた、共同作業を行うための所定のアプリケーションを終了する操作を検知した場合に、前記特定の操作が行われたと判定する、
ことを特徴とする請求項１３に記載の動作制御方法。
【請求項１６】
前記第３処理では、前記共有ウィンドウ上又は前記共有ウィンドウ近傍領域上の手書き入力操作を検知した場合に、前記特定の操作が行われたと判定する、
ことを特徴とする請求項１３に記載の動作制御方法。
【請求項１７】
前記第４処理では、前記共有ウィンドウに表示されている情報として、前記共有ウィンドウのスナップショット、又は、前記共有ウィンドウに表示しているコンテンツのファイル及び表示位置を特定する情報、を保存する、
ことを特徴とする請求項１３乃至１６のいずれか一に記載の動作制御方法。
【請求項１８】
前記複数の端末は、各ユーザが使用する個人端末と複数のユーザが共同で使用する共有端末と、を含み、前記共有端末は、前記第１乃至第４処理を実行する、
ことを特徴とする請求項１３乃至１７のいずれか一に記載の動作制御方法。
【発明の詳細な説明】
【技術分野】
【０００１】
本発明は、情報表示システム、動作制御プログラム及び動作制御方法に関し、特に、複数の端末を用いて共同作業を行う情報表示システム、複数の端末の中の所定の端末の動作を制御する動作制御プログラム及び動作制御方法に関する。
【背景技術】
【０００２】
各ユーザが使用する端末（個人端末と呼ぶ。）と、複数のユーザが共同作業を行う端末（共有端末と呼ぶ。）と、を通信ネットワークで接続して、電子会議等の共同作業を行う情報表示システムが提案されている。この情報表示システムでは、共有端末が設定した共同作業を行う領域（共同作業領域と呼ぶ。）にオブジェクトを手書きなどで入力しながら議論を進めるだけでなく、各々の個人端末に表示している情報を共有端末の共同作業領域に設けた所定の領域（共有ウィンドウと呼ぶ。）に表示することによって議論に有益な情報を提供することができる。この情報表示システムを用いた共同作業では、共同作業を一旦終了した後に適切に会議を再開できるように、共有端末に表示されている情報を保存することが重要である。
【０００３】
このような情報の保存に関する技術として、例えば、下記特許文献１には、ユーザが利用する第１のボリュームのある時点のイメージであるスナップショットを取得して管理するスナップショット管理装置において、前記スナップショットを定期的に取得して管理するスナップショット取得部と、前記スナップショット取得部により取得された２つの前記スナップショット間の相違量を検出する相違量検出部と、前記相違量検出部により検出された前記相違量が予め定められた閾値よりも小さいときには、当該２つのスナップショットのうち、先行して取得した前記スナップショットを削除するスナップショット削除部と、を備えるスナップショット管理装置が開示されている。
【先行技術文献】
【特許文献】
【０００４】
【特許文献１】特開２００７−２１９６０９号公報
【発明の概要】
【発明が解決しようとする課題】
【０００５】
上述した共有ウィンドウは、個人端末に表示している情報を、一時的に他のユーザ（共有端末で共同作業を行っているユーザ）に共有させる機能であるが、共有ウィンドウは、共有端末の画面上に手書きなどで入力したオブジェクトと同様に、移動や拡大／縮小などの種々の操作を行うことができるため、ユーザにとっては一時的なものであるという意識が持ちにくく、共有ウィンドウに表示している情報を保存し忘れることが多い。そのため、共同作業を一旦終了した後に再開する場合に、共有ウィンドウに表示されていた情報が共有端末の画面上に表示されないという問題が頻発する。
【０００６】
この問題に対して、共有ウィンドウに表示されている情報（例えば、共有ウィンドウのスナップショットなど）を定期的に取得して保存することもできるが、この方法では保存する情報のデータサイズが大きくなり効率的ではない。そこで、特許文献１では、スナップショットを定期的に取得し、取得した２つのスナップショット間の相違量が予め定められた閾値よりも小さいときには、当該２つのスナップショットのうち、先行して取得したスナップショットを削除するようにしている。しかしながら、相違量に基づいて一律に削除する方法では、会議において重要な情報が保存されるとは限らず、ユーザにとって残っておいてほしい情報（例えば、会議の過程や中間成果物）まで削除されてしまう懸念がある。
【０００７】
本発明は、上記問題点に鑑みてなされたものであって、その主たる目的は、共有ウィンドウの情報を適切に保存して、共同作業を効率的に再開することができる情報表示システム、動作制御プログラム及び動作制御方法を提供することにある。
【課題を解決するための手段】
【０００８】
本発明の一側面は、複数の端末が通信ネットワークで接続され、前記複数の端末でオブジェクトを閲覧又は操作することによって共同作業を行う情報表示システムであって、前記複数の端末の中から選択される所定の端末は、表示部の画面内に、前記オブジェクトを入力可能な共同作業領域を設定する共同作業領域制御部と、他の端末に表示されている情報を、前記共同作業領域内に設定された共有ウィンドウに表示する共有ウィンドウ制御部と、自端末又は前記他の端末で特定の操作が行われたかを判定する操作判定部と、自端末の前記共同作業領域にオブジェクトが入力された場合に、当該オブジェクトの情報を記憶部に保存すると共に、自端末又は前記他の端末で前記特定の操作が行われた場合に、前記共有ウィンドウに表示されている情報と、前記共同作業領域における前記共有ウィンドウの位置及びサイズと、を前記記憶部に保存し、前記特定の操作が行われた時に前記共同作業領域に表示されていた情報を前記共同作業の再開時に再現可能にする保存制御部と、を備えることを特徴とする。
【０００９】
本発明の一側面は、複数の端末が通信ネットワークで接続され、前記複数の端末でオブジェクトを閲覧又は操作することによって共同作業を行う情報表示システムにおける、前記複数の端末の中から選択される所定の端末で動作する動作制御プログラムであって、表示部の画面内に、前記オブジェクトを入力可能な共同作業領域を設定する第１処理、他の端末に表示されている情報を、前記共同作業領域内に設定された共有ウィンドウに表示する第２処理、自端末又は前記他の端末で特定の操作が行われたかを判定する第３処理、自端末の前記共同作業領域にオブジェクトが入力された場合に、当該オブジェクトの情報を記憶部に保存すると共に、自端末又は前記他の端末で前記特定の操作が行われた場合に、前記共有ウィンドウに表示されている情報と、前記共同作業領域における前記共有ウィンドウの位置及びサイズと、を前記記憶部に保存し、前記特定の操作が行われた時に前記共同作業領域に表示されていた情報を前記共同作業の再開時に再現可能にする第４処理、を実行させることを特徴とする。
【００１０】
本発明の一側面は、複数の端末が通信ネットワークで接続され、前記複数の端末でオブジェクトを閲覧又は操作することによって共同作業を行う情報表示システムにおける動作制御方法であって、前記複数の端末の中から選択される所定の端末は、表示部の画面内に、前記オブジェクトを入力可能な共同作業領域を設定する第１処理と、他の端末に表示されている情報を、前記共同作業領域内に設定された共有ウィンドウに表示する第２処理と、自端末又は前記他の端末で特定の操作が行われたかを判定する第３処理と、自端末の前記共同作業領域にオブジェクトが入力された場合に、当該オブジェクトの情報を記憶部に保存すると共に、自端末又は前記他の端末で前記特定の操作が行われた場合に、前記共有ウィンドウに表示されている情報と、前記共同作業領域における前記共有ウィンドウの位置及びサイズと、を前記記憶部に保存し、前記特定の操作が行われた時に前記共同作業領域に表示されていた情報を前記共同作業の再開時に再現可能にする第４処理と、を実行することを特徴とする。
【発明の効果】
【００１１】
本発明の情報表示システム、動作制御プログラム及び動作制御方法によれば、共有ウィンドウの情報を適切に保存して、共同作業を効率的に再開することができる。
【００１２】
その理由は、複数の端末（個人端末及び共有端末）を用いて共同作業を行う情報表示システムにおいて、複数の端末の中から選択される所定の端末（共有端末）は、表示部の画面内にオブジェクトを入力可能な共同作業領域を設定し、他の端末（個人端末）に表示されている情報を、共同作業領域内に設定された共有ウィンドウに表示して共同作業を行う際に、自端末又は他の端末で特定の操作が行われたかを判定し、自端末の共同作業領域にオブジェクトが入力された場合に、当該オブジェクトの情報を記憶部に保存すると共に、自端末又は他の端末で特定の操作が行われた場合に、共有ウィンドウに表示されている情報と、共同作業領域における共有ウィンドウの位置及びサイズと、を記憶部に保存し、特定の操作が行われた時に共同作業領域に表示されていた情報を共同作業の再開時に再現できるようにするからである。
【図面の簡単な説明】
【００１３】
【図１】本発明の一実施例に係る情報表示システムの構成を示す模式図である。
【図２】本発明の一実施例に係る情報表示システムの他の構成を示す模式図である。
【図３】本発明の一実施例に係る共有端末の構成を示すブロック図である。
【図４】本発明の一実施例に係る個人端末の構成を示すブロック図である。
【図５】本発明の一実施例に係る共有ウィンドウ情報管理テーブルの一例である。
【図６】本発明の一実施例に係る共有端末の動作（共有終了操作をトリガーとして共有ウィンドウの情報を保存する処理）を示すフローチャート図である。
【図７】本発明の一実施例に係る共有端末の動作（手書き操作をトリガーとして共有ウィンドウの情報を保存する処理）を示すフローチャート図である。
【図８】本発明の一実施例に係る共有端末の動作（手書き入力操作完了を確認する処理）を示すフローチャート図である。
【図９】共同作業領域に表示されている情報を再現する様子を説明する模式図である。
【図１０】共有ウィンドウの情報を保存するトリガーとなる手書き入力操作を説明する模式図である。
【発明を実施するための形態】
【００１４】
背景技術で示したように、複数の個人端末と共同作業を行う共有端末とを通信ネットワークで接続し、共有端末の共同作業領域にオブジェクトを手書きなどで入力すると共に、各々の個人端末に表示している情報を共有端末の共同作業領域に設けた共有ウィンドウに表示することによって共同作業を行う情報表示システムが提案されており、この情報表示システムでは、電子会議等の共同作業を適宜、終了／再開できるように、共有端末に表示されている情報を保存することが重要である。
【００１５】
共有端末に表示されている情報の内、共有端末に手書きなどで入力したオブジェクトの情報は自動的に保存されるが、共有ウィンドウに表示される情報は一時的に提供される情報であるため、保存し忘れることが多い。この問題に対して、共有ウィンドウに表示されている情報（スナップショット）を定期的に保存する方法が考えられるが、この方法では保存する情報のデータサイズが大きくなり効率的ではない。また、特許文献１のように、定期的に取得した２つのスナップショット間の相違量が閾値よりも小さいときに、先行して取得したスナップショットを削除することによってデータサイズを小さくする方法も考えられるが、この方法では、ユーザが残したい情報まで削除されてしまう恐れがある。
【００１６】
ここで、複数のユーザが参加する会議において、どのような場面で共有端末に表示されている情報を保存すべきかを考察すると、全ユーザが会議から退出する会議終了時は、議論の区切りがついた状態であると考えられ、議論を続ける場合には、会議終了時の状態から再開するのが適当であることから、会議終了時に共有端末に表示されている情報を保存することが好ましい。また、ウィンドウを共有しているユーザがウィンドウの共有を終了した時やアプリケーションを終了して会議から退出する時も、議論の区切りがついた状態であると考えられ、再度議論を行う場合には、ウィンドウ共有終了／アプリケーション終了時の状態から改めて再開するのが適当であることから、ウィンドウ共有終了／アプリケーション終了時に共有端末に表示されている情報も保存することが好ましい。また、共有ウィンドウ上やその近傍に手書き入力が行われた時は、議論が展開している状態であると考えられ、議論を見直す場合には、手書き入力完了時の状態から再開するのが適当であることから、手書き入力完了時に共有端末に表示されている情報も保存することが好ましい。
【００１７】
そこで、本発明の一実施の形態では、共同作業領域にオブジェクトが入力された場合に、当該オブジェクトの情報を保存すると共に、特定の操作が行われたタイミングで、共有ウィンドウに表示されている情報（共有ウィンドウのスナップショットや共有ウィンドウに表示されているコンテンツのファイル及びコンテンツの表示位置など）と、共同作業領域における共有ウィンドウの位置及びサイズと、を保存する。具体的には、会議終了時（全ユーザが会議から退出した時）や、ウィンドウ共有終了／アプリケーション終了時（共有したユーザが会議から退出した時）、共有ウィンドウ上あるいはその近傍に手書きした時などの特定の操作を検知したタイミングで、共有ウィンドウに表示されている情報と共有ウィンドウの位置及びサイズとを保存し、共同作業の再開時に、共同作業領域に入力されたオブジェクトを表示すると共に、共有ウィンドウに表示されていた情報を共同作業領域の同一座標に同一サイズで表示して、共同作業領域に表示されていた情報を再現できるように制御する。
【００１８】
このような制御を行うことにより、会議中に議論した結果（コンテンツ）が失われることがなくなり、共有ウィンドウの情報を適切に保存して、共同作業を効率的に再開することが可能となる。
【実施例】
【００１９】
上記した本発明の一実施の形態についてさらに詳細に説明すべく、本発明の一実施例に係る情報表示システム、動作制御プログラム及び動作制御方法について、図１乃至図１０を参照して説明する。図１及び図２は、本実施例の情報表示システムの構成を示す模式図であり、図３は、共有端末の構成を示すブロック図、図４は、個人端末の構成を示すブロック図である。また、図５は、共有ウィンドウ情報管理テーブルの一例であり、図６乃至図８は、共有端末の動作を示すフローチャート図である。また、図９は、共同作業領域に表示されている情報を再現する様子を説明する模式図であり、図１０は、共有ウィンドウの情報を保存するトリガーとなる手書き入力操作を説明する模式図である。
【００２０】
図１に示すように、本実施例の情報表示システムは、複数のユーザがオブジェクトを閲覧又は操作することによって電子会議等の共同作業を行う端末（共有端末１０）と、共同作業に参加する各ユーザが使用する端末（個人端末２０）と、共同作業に関する情報を記憶するデータベース３０と、で構成される。これらはイーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク４０（無線基地局４１を介した無線通信ネットワークを含む。）を介して接続されている。
【００２１】
なお、図１では、情報表示システムに共同作業に関する情報を記憶するデータベース３０を設ける構成を示したが、共有端末１０が共同作業に関する情報を記憶／管理するようにしてもよく、その場合は、データベース３０を省略することができる。また、図１では、情報表示システムに、個人端末２０とは別に共有端末１０を設けたが、図２に示すように、複数の個人端末２０のいずれか（例えば、リーダや指導的役割のユーザが使用する特定の個人端末２０）を共有端末１０として機能させる構成としてもよい。以下、図１の構成を前提にして各装置について詳細に説明する。
【００２２】
［共有端末］
共有端末１０は、演算機能を備えた表示パネル、電子黒板などであり、図３（ａ）に示すように、制御部１１と記憶部１５と通信Ｉ／Ｆ部１６と表示操作部１７などで構成される。
【００２３】
制御部１１は、マイクロプロセッサ等により構成されるＣＰＵ（Central Processing Unit）１２と、ＲＯＭ（Read Only Memory）１３やＲＡＭ（Random Access Memory）１４などのメモリと、で構成され、ＣＰＵ１２は、ＲＯＭ１３や記憶部１５から制御プログラムを呼び出し、ＲＡＭ１４に展開して実行することにより、共有端末１０全体の動作を制御する。上記制御部１１は、図３（ｂ）に示すように、共同作業領域制御部１１ａ、共有ウィンドウ制御部１１ｂ、操作判定部１１ｃ、保存制御部１１ｄなどとしても機能する。
【００２４】
共同作業領域制御部１１ａは、表示操作部１７の画面内に、オブジェクトを入力可能な共同作業領域を設定する。例えば、表示操作部１７の画面全体を共同作業領域として設定する。また、ユーザが表示操作部１７に枠を手書きしたり、対角の２点を指定したりした場合は、その操作で特定される領域を共同作業領域として設定する。そして、設定した共同作業領域を個人端末２０に通知する。
【００２５】
共有ウィンドウ制御部１１ｂは、個人端末２０から送信される領域指定情報に基づいて、共同作業領域内に共有ウィンドウを設定し、その共有ウィンドウに当該個人端末２０の共有ウィンドウに表示されている情報（例えば、Microsoft（登録商標）のExcel（登録商標）やPowerPoint（登録商標）などの文書作成アプリケーションで作成した文書の所定のページやシートの情報、ＷｅｂブラウザなどのＷｅｂアプリケーションを用いて取得したＷｅｂページの情報など）を表示させる。
【００２６】
なお、上記共同作業領域制御部１１ａ及び共有ウィンドウ制御部１１ｂの機能は、共同作業を制御するアプリケーション（共同作業アプリケーションと呼ぶ。）を共有端末１０にインストールすることにより実現することができる。
【００２７】
操作判定部１１ｃは、共同作業時に特定の操作が行われたかを判定する。具体的には、個人端末２０から送信される情報（個人端末２０にインストールされた共同作業アプリケーションから通知される情報）に基づいて、個人端末２０で行われた操作を検知し、会議を終了（全ユーザが会議から退出）する操作、共有ウィンドウに情報を表示している個人端末２０がウィンドウの共有を終了する操作、共同作業アプリケーションを終了（そのユーザが会議から退出）する操作を検知した場合に、特定の操作が行われたと判定する。また、操作判定部１１ｃは、表示操作部１７から出力される操作信号に基づいて、共有端末１０で行われた操作を検知し、共有ウィンドウ上又は共有ウィンドウ近傍領域上の手書き入力操作を検知した場合に、特定の操作が行われたと判定する。
【００２８】
保存制御部１１ｄは、自端末の共同作業領域にオブジェクトが入力された場合に、当該オブジェクトの情報を記憶部１５などに保存すると共に、特定の操作が行われた場合に、共有ウィンドウの情報（共有ウィンドウ自体の情報（位置やサイズなど）及び共有ウィンドウに表示されている情報（スナップショットなど））を取得し、後述する共有ウィンドウ情報管理テーブルに記述して記憶部１５などに保存する。具体的には、会議終了時は全ての共有ウィンドウの情報を取得し、特定のユーザのウィンドウの共有終了時や会議退出時又は特定のユーザの共有ウィンドウ上又は近傍への手書き入力時は、その特定のユーザの共有ウィンドウの情報を取得する。上記共有ウィンドウに表示されている情報は、その内容を特定できる情報であればよく、例えば、Microsoft（登録商標）のExcel（登録商標）やPowerPoint（登録商標）などの文書作成アプリケーションやＷｅｂブラウザなどのＷｅｂアプリケーションを用いて所定のコンテンツの所定のページやシートを表示している場合、スナップショットとしてもよいし、コンテンツのファイル及び表示しているページやシートを特定する情報などとしてもよい。図５は、共有ウィンドウ情報管理テーブルの一例であり、共有ウィンドウを識別する情報（ＩＤ）、共有ウィンドウの位置情報（中心座標）、共有ウィンドウのサイズ、共有開始時刻、共有ウィンドウに表示しているコンテンツのファイル（元ファイル）、共有ウィンドウに表示している文書ファイルの表示位置（現在の閲覧ページ／シート番号）などを記録する。
【００２９】
上記共同作業領域制御部１１ａ、共有ウィンドウ制御部１１ｂ、操作判定部１１ｃ、保存制御部１１ｄは、ハードウェアとして構成してもよいし、制御部１１を、共同作業領域制御部１１ａ、共有ウィンドウ制御部１１ｂ、操作判定部１１ｃ、保存制御部１１ｄ（特に、操作判定部１１ｃ、保存制御部１１ｄ）として機能させるソフトウェア（動作制御プログラム）として構成し、当該動作制御プログラムをＣＰＵ１２に実行させるようにしてもよい。
【００３０】
記憶部１５は、メモリやＨＤＤ（Hard Disk Drive）、ＳＳＤ（Solid State Drive）などで構成され、手書きなどで入力されるオブジェクトの情報、上記共有ウィンドウ情報管理テーブルなどを記憶する。
【００３１】
通信Ｉ／Ｆ部１６は、ＮＩＣ（Network Interface Card）やモデムなどで構成され、共有端末１０を通信ネットワーク４０に接続し、個人端末２０やデータベース３０との通信を可能にする。
【００３２】
表示操作部１７は、ＬＣＤ（Liquid Crystal Display）や有機ＥＬ（Electro Luminescence）ディスプレイなどの表示部上に格子状の電極で構成されるタッチセンサなどの操作部を設けたタッチパネルなどであり、共同作業領域を設定したり、共同作業領域内に共有ウィンドウを表示したり、共同作業領域内での手書き入力を受け付けたりする。
【００３３】
［個人端末］
個人端末２０は、パーソナルコンピュータなどのコンピュータ端末、タブレット端末やスマートフォンなどの携帯端末などであり、図４（ａ）に示すように、制御部２１と記憶部２５と通信Ｉ／Ｆ部２６と表示部２７と操作部２８などで構成される。
【００３４】
制御部１１は、マイクロプロセッサ等により構成されるＣＰＵ２２と、ＲＯＭ２３やＲＡＭ２４などのメモリと、で構成され、ＣＰＵ２２は、ＲＯＭ２３や記憶部２５から制御プログラムを呼び出し、ＲＡＭ２４に展開して実行することにより、個人端末２０全体の動作を制御する。上記制御部２１は、図４（ｂ）に示すように、共同作業領域制御部２１ａ、共有ウィンドウ制御部２１ｂ、コンテンツ作成／取得部２１ｃなどとしても機能する。
【００３５】
共同作業領域制御部２１ａは、共有端末１０が設定した共同作業領域の情報を取得し、表示部２７に共同作業領域を表示させる。
【００３６】
共有ウィンドウ制御部２１ｂは、共同作業領域内の所定の領域を指定して、その領域を共有ウィンドウとして設定し、共有ウィンドウの領域指定情報（位置及びサイズ）を共有端末１０に通知する。そして、共有ウィンドウに、例えば、Microsoft（登録商標）のExcel（登録商標）やPowerPoint（登録商標）などの文書作成アプリケーションで作成した文書の所定のページやシートの情報、ＷｅｂブラウザなどのＷｅｂアプリケーションを用いて取得したＷｅｂページの情報などを表示させると共に、その共有ウィンドウの画面情報を共有端末１０に送信し、共有端末１０の共有ウィンドウにも同じ情報を表示させる。この共有ウィンドウ制御部２１ｂの機能をウィンドウ共有機能と呼ぶ。
【００３７】
なお、上記共同作業領域制御部２１ａ及び共有ウィンドウ制御部２１ｂの機能は、共同作業アプリケーションを個人端末２０にインストールすることにより実現することができる。
【００３８】
コンテンツ作成／取得部２１ｃは、Microsoft（登録商標）のExcel（登録商標）やPowerPoint（登録商標）などの文書作成アプリケーション、ＷｅｂブラウザなどのＷｅｂアプリケーションであり、共有ウィンドウに表示するコンテンツのファイルを作成したり取得したりする。
【００３９】
記憶部２５は、メモリやＨＤＤ、ＳＳＤなどで構成され、文書作成アプリケーションを用いて作成した文書やＷｅｂアプリケーションを用いて取得したＷｅｂページなどのコンテンツのファイルなどを記憶する。
【００４０】
通信Ｉ／Ｆ部２６は、ＮＩＣやモデムなどで構成され、個人端末２０を通信ネットワーク４０に接続し、共有端末１０やデータベース３０との通信を可能にする。
【００４１】
表示部２７は、ＬＣＤや有機ＥＬディスプレイなどで構成され、共同作業アプリケーションの画面（共同作業領域や共有ウィンドウなど）、文書作成アプリケーションの画面、Ｗｅｂアプリケーションの画面などを表示する。
【００４２】
操作部２８は、マウスやキーボード、表示部２７上に配置された格子状の電極からなるタッチセンサなどで構成され、共同作業アプリケーションを起動することによる会議への参加、ウィンドウ共有機能を停止させることによるウィンドウの共有の終了、共同作業アプリケーションを終了させることによる会議からの退出、共有ウィンドウの設定、文書作成アプリケーションやＷｅｂアプリケーションの操作などを受け付け、操作の内容に応じた操作信号を出力する。
【００４３】
［データベース］
データベース３０は、通信ネットワーク４０上（例えばクラウド上）に設けられた記憶装置などであり、共同作業に関する情報（特に、共同作業領域内に存在するオブジェクトの情報など）を記憶する。一方、共有ウィンドウに表示されている情報は一時的な情報であることから、本実施例では、共有ウィンドウ情報管理テーブルはデータベース３０には記憶しない。
【００４４】
なお、図１乃至図４は、本実施例の情報表示システムの一例であり、その構成や制御内容は適宜変更可能である。
【００４５】
次に、上記構成の共有端末１０の動作について説明する。共有端末１０のＣＰＵ１２は、ＲＯＭ１３又は記憶部１５に記憶した動作制御プログラムをＲＡＭ１４に展開して実行することにより、図６乃至図８のフローチャート図に示す各ステップの処理を実行する。なお、以下の説明において、共有端末１０は、共同作業アプリケーションを用いて共同作業領域を設定しているものとする。また、共有端末１０及び各個人端末２０で動作する共同作業アプリケーションは連動して動作し、共有端末１０から各個人端末２０に共同作業領域の情報を通知し、各個人端末２０から共有端末１０に共有ウィンドウの情報や共同作業アプリケーションに対して行われた操作の情報を通知するものとする。また、共有端末１０の表示操作部１７を用いて、共同作業領域にオブジェクトが入力された場合、当該オブジェクトの情報は適宜、記憶部１５などに保存されるものとする。
【００４６】
［共有終了操作をトリガーとして共有ウィンドウの情報を保存する処理］
図６に示すように、任意のユーザＡが、個人端末２０を操作して、共同作業アプリケーションのウィンドウ共有機能を実行し、共同作業領域における共有ウィンドウの位置及びサイズを指定して、共有ウィンドウにコンテンツを表示する（Ｓ１０１）。
【００４７】
共有端末１０の制御部１１（共有ウィンドウ制御部１１ｂ）は、個人端末２０から共有ウィンドウの情報（共有ウィンドウの位置、サイズ、表示されているコンテンツの内容など）を取得する（Ｓ１０２）。
【００４８】
次に、共有端末１０の制御部１１（操作判定部１１ｃ）は、個人端末２０で行われた操作を検知し（Ｓ１０３）、Ｓ１０３で検知した操作が、ウィンドウ共有終了操作（個人端末２０で実行されている共同作業アプリケーションのウィンドウ共有機能を停止する操作）であるか否かを判定する（Ｓ１０４）。
【００４９】
Ｓ１０３で検知した操作が、ウィンドウ共有終了操作でない場合は、制御部１１（操作判定部１１ｃ）は、その操作が、ユーザＡが会議から退出する操作（個人端末２０で実行されている共同作業アプリケーションを終了する操作）であるかを判定する（Ｓ１０５）。
【００５０】
Ｓ１０３で検知した操作が、ユーザＡが会議から退出する操作でない場合は、制御部１１（操作判定部１１ｃ）は、その操作が、個人端末２０で行われた共有ウィンドウの配置／内容変更操作（共有ウィンドウの配置（位置、サイズ）、あるいは表示内容を変更する操作）であるかを判定する（Ｓ１０６）。
【００５１】
Ｓ１０３で検知した操作が、共有ウィンドウの配置／内容変更操作でなければ、Ｓ１０３に遷移して次の操作を検知し、共有ウィンドウの配置／内容変更操作であれば、Ｓ１０２に遷移して共有ウィンドウの情報を再度取得する。
【００５２】
Ｓ１０３で検知した操作が、ウィンドウ共有終了操作の場合（Ｓ１０４のＹｅｓ）、又は、ユーザＡが会議から退出する操作の場合（Ｓ１０５のＹｅｓ）は、制御部１１（保存制御部１１ｄ）は、共有ウィンドウの情報を共有ウィンドウ情報管理テーブルに記述して記憶部１５などに保存し（Ｓ１０７）、一連の処理を終了する。例えば、共有ウィンドウの表示画面のスナップショットを作成したり、共有ウィンドウに表示しているコンテンツのファイル及び表示しているページ／シート番号を取得したりし、共有ウィンドウに表示されている情報を共同作業領域の同じ位置に同じサイズで表示できるようにする。
【００５３】
［手書き操作をトリガーとして共有ウィンドウの情報を保存する処理］
図７に示すように、任意のユーザＡが、個人端末２０を操作して、共同作業アプリケーションのウィンドウ共有機能を実行し、共同作業領域における共有ウィンドウの位置及びサイズを指定して、共有ウィンドウにコンテンツを表示する（Ｓ２０１）。
【００５４】
共有端末１０の制御部１１（共有ウィンドウ制御部１１ｂ）は、個人端末２０から共有ウィンドウの情報（共有ウィンドウの位置、サイズ、表示されているコンテンツの内容など）を取得する（Ｓ２０２）。
【００５５】
共有端末１０の制御部１１（共有ウィンドウ制御部１１ｂ）は、共有ウィンドウの近傍（例えば、１００ピクセル程度の範囲内）に、共有ウィンドウの情報を保存するトリガーとするための手書き検知領域を設定する（Ｓ２０３）。
【００５６】
次に、共有端末１０の制御部１１（操作判定部１１ｃ）は、共有端末１０又は個人端末２０で行われた操作を検知し（Ｓ２０４）、Ｓ２０４で検知した操作が、手書き入力操作であるか否かを判定する（Ｓ２０５）。
【００５７】
Ｓ２０４で検知した操作が手書き入力操作でない場合は、制御部１１（操作判定部１１ｃ）は、その操作が、個人端末２０で行われた共有ウィンドウの配置／内容変更操作（共有ウィンドウの配置（位置、サイズ）、あるいは表示内容を変更する操作）であるかを判定する（Ｓ２０６）。
【００５８】
Ｓ２０４で検知した操作が、共有ウィンドウの配置／内容変更操作でなければ、Ｓ２０４に遷移して次の操作を検知し、共有ウィンドウの配置／内容変更操作であれば、Ｓ２０２に遷移して共有ウィンドウの情報を再度取得する。
【００５９】
Ｓ２０４で検知した操作が、手書き入力操作の場合は（Ｓ２０５のＹｅｓ）、制御部１１（操作判定部１１ｃ）は、その手書き入力操作が、共有ウィンドウ上の手書き入力操作、あるいはＳ２０３で設定した手書き検知領域上の手書き入力操作であるか否かを判定する（Ｓ２０７）。
【００６０】
Ｓ２０４で検知した操作が、共有ウィンドウ上又は手書き検知領域上の手書き入力操作でない場合は、Ｓ２０４に遷移して次の操作を検知し、共有ウィンドウ上又は手書き検知領域上の手書き入力操作の場合は、制御部１１（操作判定部１１ｃ）は、Ｓ２０４で検知した手書き入力操作が完了したこと（手書きオブジェクトが作成されたこと）を確認する（Ｓ２０８）。
【００６１】
図８はこのステップの詳細を示しており、制御部１１（操作判定部１１ｃ）は、手書き入力が完了した、というユーザからの明示的操作（例えば、手書き周辺をタップする操作やメニューから確定ボタンを押下する操作などの手書き確定操作）を検知したか否かを判定する（Ｓ３０１）。手書き確定操作を検知しない場合は、制御部１１（操作判定部１１ｃ）は、スタイラスペンなどによる手書き入力が、継続して行われているか否かを判定する（Ｓ３０２）。
【００６２】
手書き入力が継続して行われている場合は（Ｓ３０２のＮｏ）、Ｓ３０１に戻って手書き確定操作を検知し、手書き確定操作を検知した場合（Ｓ３０１のＹｅｓ）、若しくは、手書き入力が継続して行われずに一定時間（例えば、５〜６秒）が経過した場合は（Ｓ３０２のＹｅｓ）、制御部１１（操作判定部１１ｃ）は、手書きオブジェクトとして確定する（Ｓ３０３）。
【００６３】
図７に戻って、手書き入力操作が完了したら、制御部１１（保存制御部１１ｄ）は、共有ウィンドウの情報を共有ウィンドウ情報管理テーブルに記述して記憶部１５などに保存する（Ｓ２０９）。例えば、共有ウィンドウの表示画面のスナップショットを作成したり、共有ウィンドウに表示しているコンテンツのファイル及び表示しているページ／シート番号を取得したりし、共有ウィンドウに表示されている情報を共同作業領域の同じ位置に同じサイズで表示できるようにする。
【００６４】
そして、制御部１１（操作判定部１１ｃ）は、ウィンドウ共有が継続しているか（個人端末２０で実行されている共同作業アプリケーションのウィンドウ共有機能が動作しているか）を判定し（Ｓ２１０）、ウィンドウ共有が継続している場合は、Ｓ２０４に遷移して、共有端末１０又は個人端末２０で行われた操作を検知し、ウィンドウ共有が終了した場合は一連の処理を終了する。
【００６５】
上記の共有ウィンドウの情報の保存制御について、表示操作部１７に表示される画面構成を参照して具体的に説明する。
【００６６】
図９は、共有端末１０に表示されている情報がどのように再現されるかを従来と比較して説明する図である。図９（ａ）は、共有端末１０の表示操作部１７に表示される画面（共同作業領域５０）、及び、ユーザＡ及びユーザＢの各個人端末２０の表示部２７に表示される画面の一例を示している。共有端末１０で共同作業アプリケーションを動作させて共同作業領域５０を設定すると、個人端末２０にも共同作業アプリケーションによって共同作業領域５０が設定される。そして、個人端末２０で共同作業領域５０内に共有ウィンドウを設定すると、共有端末１０の共同作業領域５０にも共有ウィンドウ（ここではユーザＡの共有ウィンドウ５１ａ及びユーザＢの共有ウィンドウ５１ｂ）が設定され、個人端末２０の共有ウィンドウに表示した情報（ここでは、ユーザＡの個人端末２０に表示したPowerPoint（登録商標）の画像及びユーザＢの個人端末２０に表示したExcel（登録商標）の画像）が表示される。なお、個人端末２０の画面は、共有ウィンドウ設定後、共同作業領域５０を拡大し、共有ウィンドウが表示部２７全体に大きく表示されるようにした状態を示している。
【００６７】
そして、共有端末１０で、オブジェクトを手書き入力したり、共有端末１０の共有ウィンドウに所望のコンテンツを表示したりして、会議などの共同作業を行う。なお、個人端末２０側でページ送りや表示位置の変更などを行うと、共有端末１０の共有ウィンドウの表示も更新される。
【００６８】
その後、会議を終了すると、共有端末１０は、共同作業領域５０に表示している情報を保存するが、従来は、一時的に表示する共有ウィンドウの情報は保存せず、手書きなどで入力したオブジェクトの情報だけを保存する。その結果、会議を再開して共同作業領域５０を再閲覧した場合、図９（ｂ）に示すように、共有端末１０にオブジェクトは表示されるが、共有ウィンドウは表示されず、前回の議論の結果を把握することができない。
【００６９】
これに対して、本実施例では、会議終了時やウィンドウ共有終了時、会議退出時、共有ウィンドウ上又は近傍への手書き入力時に、共有端末１０は、共有ウィンドウの情報も自動的に保存する。その結果、会議を再開して共同作業領域５０を再閲覧した場合、図９（ｃ）に示すように、共有端末１０にオブジェクトと共に、共有ウィンドウの内容が表示されるため、前回の議論の結果を把握することができ、共同作業を効率的に再開することができる。
【００７０】
また、図１０は、共有ウィンドウの情報を保存するトリガーとなる手書き入力操作を説明する模式図である。図１０（ａ）は、共有端末１０の表示操作部１７に表示される画面の一例を示しており、共同作業領域５０に、オブジェクト５２と共有ウィンドウ５１などが表示されている。
【００７１】
この状態で、図１０（ｂ）に示すように、共有ウィンドウ上に手書き入力を行うと、共有端末１０は、この手書き入力操作を検知して共有ウィンドウの情報を自動的に保存する。また、図１０（ｃ）に示すように、共有ウィンドウの近傍に設定した手書き検知領域上に手書き入力を行うと、共有端末１０は、この手書き入力操作を検知して共有ウィンドウの情報を自動的に保存する。その結果、共同作業領域５０を再閲覧した場合、図９（ｃ）と同様に、共有端末１０にオブジェクトと共に、共有ウィンドウの内容が表示されるため、前回の議論の結果を把握することができる。
【００７２】
以上説明したように、共同作業領域にオブジェクトが入力された場合に、当該オブジェクトの情報を保存すると共に、会議終了時（全ユーザが会議から退出した時）や、ウィンドウ共有終了時、共同作業アプリケーション終了時（個々のユーザが会議から退出した時）、共有ウィンドウ上あるいはその近傍に手書きした時などの特定の操作が行われたタイミングで、共有ウィンドウに表示されている情報と共同作業領域における共有ウィンドウの位置及びサイズとを保存し、共同作業の再開時に、共同作業領域に入力されたオブジェクトを表示すると共に、共有ウィンドウに表示されていた情報を共同作業領域の同一座標に同一サイズで表示して、共同作業領域に表示されていた情報を再現することにより、会議中に議論した結果（コンテンツ）が失われることがなくなり、共同作業を効率的に再開することができる。
【００７３】
なお、本発明は上記実施例に限定されるものではなく、本発明の趣旨を逸脱しない限りにおいて、共有端末１０や個人端末２０、データベース３０の構成や制御は適宜変更可能である。
【００７４】
例えば、上記実施例では、情報表示システムに共有端末１０と複数の個人端末２０とを設け、共有端末１０が共有ウィンドウの情報の保存制御を行う構成を示したが、複数の個人端末２０の内の、リーダや指導的役割のユーザが使用する特定の個人端末２０を共有端末１０として動作させる構成としてもよく、その場合は、特定の個人端末２０の制御部２１を、共同作業領域制御部、共有ウィンドウ制御部、操作判定部、保存制御部として機能させる（ＣＰＵ２２に動作制御プログラムを実行させる）ようにすればよい。
【産業上の利用可能性】
【００７５】
本発明は、複数の端末を用いて共同作業を行う情報表示システム、複数の端末の中の所定の端末の動作を制御する動作制御プログラム、当該動作制御プログラムを記録した記録媒体、及び、動作制御方法に利用可能である。
【符号の説明】
【００７６】
１０  共有端末
１１  制御部
１１ａ  共同作業領域制御部
１１ｂ  共有ウィンドウ制御部
１１ｃ  操作判定部
１１ｄ  保存制御部
１２  ＣＰＵ
１３  ＲＯＭ
１４  ＲＡＭ
１５  記憶部
１６  通信Ｉ／Ｆ部
１７  表示操作部
２０  個人端末
２１  制御部
２１ａ  共同作業領域制御部
２１ｂ  共有ウィンドウ制御部
２１ｃ  コンテンツ作成／取得部
２２  ＣＰＵ
２３  ＲＯＭ
２４  ＲＡＭ
２５  記憶部
２６  通信Ｉ／Ｆ部
２７  表示部
２８  操作部
３０  データベース
４０  通信ネットワーク
４１  無線基地局
５０  共同作業領域
５１、５１ａ、５１ｂ  共有ウィンドウ
５２  オブジェクト
【図１】
2018067086.tif 000003
【図２】
2018067086.tif 000004
【図３】
2018067086.tif 000005
【図４】
2018067086.tif 000006
【図５】
2018067086.tif 000007
【図６】
2018067086.tif 000008
【図７】
2018067086.tif 000009
【図８】
2018067086.tif 000010
【図９】
2018067086.tif 000011
【図１０】
2018067086.tif 000012